(57)【要約】【課題】限りのある油を効率よく燃焼させることで、地球の環境問題の解消に寄与することができる液体燃料およびその製造システム並びにその製造方法を提供する。【解決手段】ブラウンガス製造システムは、ブラウンガスを供給するブラウンガス供給装置（１００）と、このブラウンガス供給装置（１００）からのブラウンガスを水に溶解させてＯＲＰが−３００ｍＶ以下とした水を生成する水製造装置（２００）と、油を供給する油タンク（５０）と、水製造装置（２００）からの水および油タンク（５０）からの油を、体積比の合計が１００の割合となる組み合わせとなるように１０〜３０：９０〜７０の割合で混合させて、水と油とを化学的に結合させるウォータオイル製造装置（４００）とを備えている。このウォータオイル製造システムにより生成されたウォータオイルは、代替エネルギーとして高い効率で燃焼させることができる。【選択図】図２
2009102600.tif 000002
【特許請求の範囲】
【請求項１】
油にブラウンガスを混合させたことを特徴とする液体燃料。
【請求項２】
前記ブラウンガスは、水に溶解させた状態で混合させたものである請求項１記載の液体燃料。
【請求項３】
前記ブラウンガスが溶解した水は、ＯＲＰが−３００ｍＶ以下である請求項２記載の液体燃料。
【請求項４】
前記ブラウンガスが溶解した水と油との体積比は１０〜３０：９０〜７０で、体積比の合計が１００の割合となる組み合わせである請求項２または３記載の液体燃料。
【請求項５】
油にブラウンガスを混合する液体燃料製造装置を備えたことを特徴とする液体燃料製造システム。
【請求項６】
前記液体燃料製造装置に注入するブラウンガスを、予め水に溶解させる水製造装置を備えた請求項５記載の液体燃料製造システム。
【請求項７】
前記ブラウンガスが溶解した水は、ＯＲＰが−３００ｍＶ以下である請求項６記載の液体燃料製造システム。
【請求項８】
前記ブラウンガスが溶解した水と油との体積比は１０〜３０：９０〜７０で、体積比の合計が１００の割合となる組み合わせである請求項６または７記載の液体燃料製造システム。
【請求項９】
前記液体燃料製造装置には、ブラウンガスを供給するブラウンガス供給装置が設けられている請求項５から８のいずれかの項に記載の液体燃料製造システム。
【請求項１０】
前記液体燃料製造装置は、撹拌機を備えている請求項５から９のいずれかの項に記載の液体燃料製造システム。
【請求項１１】
油にブラウンガスを混合することを特徴とする液体燃料の製造方法。
【請求項１２】
前記ブラウンガスを水に溶解させる段階と、
前記ブラウンが溶解した水を油に混合する段階とを含むことを特徴とする請求項１１に記載の液体燃料の製造方法。
【請求項１３】
前記ブラウンガスが溶解した水は、ＯＲＰが−３００ｍＶ以下である請求項１２記載の液体燃料製造方法。
【請求項１４】
前記ブラウンガスが溶解した水と油との体積比は１０〜３０：９０〜７０で、体積比の合計が１００の割合となる組み合わせである請求項１２または１３記載の液体燃料製造方法。
【発明の詳細な説明】
【技術分野】
【０００１】
本発明は、ブラウンガスを利用した液体燃料およびその製造システム並びにその製造方法に関する。
【背景技術】
【０００２】
地球上に存在する石炭や石油などの化石燃料をエネルギーとするには限界があり、約２０年後には需給不均衡、約５０年後には枯渇状態という状況が予想されている。従って、代替エネルギーの開発は急務の課題である。特に、最近の石油価格の急騰などエネルギー不足が現実的に現れている状態では事態は深刻である。
【０００３】
代替エネルギーとは、太陽エネルギー、バイオマス、風力、水力、燃料電池、石炭の液化、ガス化、海洋エネルギー、廃棄物エネルギーに区分けされている。また、これら以外にも地熱、水素、石炭による物質を混合した流動性燃料を意味する。しかし、実質的に代替エネルギーというのは、広い意味では石油に変わるエネルギーであり、狭い意味では新・再生エネルギーを意味する。
【０００４】
現在、先進各国で活発に技術開発が進行し、実用段階に入った代替エネルギーでは、太陽エネルギー、風力エネルギーを主とし、バイオマス、地熱、波力、潮力を従とした開発が活発に進行している。例えば、１９９８年アメリカ合衆国のジョージワシントン大学で発表された「アメリカの未来技術」によれば、アメリカ合衆国では２０１０年頃にエネルギー消費量の１０％が代替エネルギーとなることが予測されている。また、ヨーロッパ連合（ＥＵ）が１９９７年に発刊した「エネルギー１００」では、２０１０年までに代替エネルギーの比率を現在の２倍の１２％まで引き上げようとする計画を持っている。また、風力発電のメッカであるデンマークの場合、４９００台の風力タービンで１１３５ＭＷを発電し、消費量の７％を当てているし、「エネルギー２１計画」によれば、２０１０年に１０％、２０３０年に５０％を風力で切り替える目標を立て、代替エネルギー開発の活性化に努力している。
【０００５】
【特許文献１】大韓民国特許登録１０−０７６１０９９号公報
【発明の開示】
【発明が解決しようとする課題】
【０００６】
そこで本発明は、限りのある油を効率よく燃焼させることで、地球の環境問題の解消に寄与することができる液体燃料およびその製造システム並びにその製造方法を提供することを目的とする。
【課題を解決するための手段】
【０００７】
本発明の液体燃料は、油にブラウンガスを混合させたことを特徴とする。このブラウンガスは、水に溶解させた状態で混合させたものとすることができる。
また、本発明の液体燃料製造システムは、油にブラウンガスを混合する液体燃料製造装置を備えたことを特徴とする。この液体燃料製造システムは、前記液体燃料製造装置に注入するブラウンガスを、予め水に溶解させる水製造装置を備えるのが望ましい。
また、本発明の液体燃料の製造方法は、油にブラウンガスを混合することを特徴とする。この製造方法においては、ブラウンガスを水に溶解させる段階と、前記ブラウンガスが溶解した水を油に混合する段階とすることができる。
【発明の効果】
【０００８】
本発明によれば、ブラウンガスを混合させた油を用いることで、効率よく燃焼させることができるので、地球の環境問題の解消に寄与することができる。
【発明を実施するための最良の形態】
【０００９】
（実施の形態１）
以下に本発明の実施の形態１に係るブラウンガスを利用した液体燃料およびその製造システム並びにその製造方法を、図面に基づいて説明する。なお、本実施の形態１では、液体燃料をウォータオイル（Water oil）と称する。ウォータオイルは、本願発明者が付けた名称である。
【００１０】
本発明の実施の形態１に係るウォータオイルは、水にブラウンガスを溶解させることで油と化学的に結合させた化合物とすることを特徴とするものである。
ここで、ブラウンガスとは、水を電気分解することで得られた気体として、水素と酸素の当量比が２：１である混合気体を示す。通常、水を電気分解すれば負極では水素が得られ、正極では酸素が得られる。この発生したガスを分離採集せずに一度に採集したガスをブラウンガスを呼ぶ。これはブルガリア出身であるユル  ブラウン（Ｙｕｌｌ  Ｂｒｏｗｎ）博士の名前を取って付けられたガスの名称である。
【００１１】
全世界の企業では、ブラウンガスと呼ぶ代わりにアクアガスまたはウォータガスなどと呼ぶこともある。このようなブラウンガスを水に溶解させれば、油と化学的な結合をさせることができる。なお、本実施の形態１における油としては、灯油、重油、軽油などを採用することができる。
【００１２】
一般的に水（Ｈ2Ｏ）と油とは単純に物理的に混合させることはできても、化学的な結合による化合物を生成させることができない。混合物は、二種類以上の物質が化学的な反応を起こさずに、物理的に単純に混じり合っている状態か、成分物質同士が選択的に混じり合っている状態かによって、均一混合物と不均一混合物とに分類される。これらの混合物の分離には、混合された物質の比重差を利用する方法や、溶解度差を利用する方法、クロマトグラフィーを利用する方法などがある。
【００１３】
例えば、鉄粉（鉄パウダー）は黒色の物質で磁石に付く性質がある。硫黄粉（硫黄パウダー）は、黄色の物質で鼻を突く臭いがある。この鉄粉と硫黄粉とを混ぜた後に加熱すれば、二つの物質は化学的結合を生じて硫化鉄という新たな物質が生じる。この物質は磁石に付くことはなく無臭である。つまり、二つの物質が化学的結合を通じて全く新しい物質となっている。このような物質を化合物（Compound）と呼ぶ。
【００１４】
しかし、鉄粉と硫黄粉とを単に混ぜ合わせただけでは、磁石を当てると鉄粉は磁石にくっつき、鼻を突く臭いもする。すなわち二つの物質は混じり合ってはいるが、鉄粉と硫黄粉はそれぞれ自体の性質をそのまま維持している。このような化学的な反応を生じずに単にお互いが混ざっている物質を混合物（Mixture）と呼ぶ。
【００１５】
このように、一般的に純粋な水と油は、単に物理的に混じり合っても化学的な結合による化合物とすることができない。その理由としては、水分子は分子内にある電荷が偏りを有している極性分子である。一般的に油分子は対称構造である極性がない非極性分子である。極性分子と非極性分子とは、化学的にお互いがなじまないから水と油とを混ぜ合わせて化合物を生成することができない。水と油とが単に混合した状態では、重力によって比重の大きい水は下に沈み、比重の軽い油は浮き上がってそれぞれが分離した状態となって区分される。
【００１６】
もし、水と油とに化学的な結合を生じさせることができ、これを代替エネルギーとして燃焼させた場合に、油のみを燃焼させる場合より多くの熱量を発生させることができれば、地球上に残存する油をもっと効率的に利用することができるので、この代替エネルギーを活用して天然エネルギー資源の問題を解決することができる。
【００１７】
多量の硫黄（Ｓ）または炭素（Ｃ）などを含む油を燃焼させると、多量の二酸化炭素（ＣＯ2）や硫酸化物が発生する。二酸化炭素は温室効果ガスとなり、地球温暖化現象などの異常気象の主な原因と指摘されている。また、硫酸化物は大気汚染物質として酸性雨の原因となり、人体の粘膜に作用して呼吸器疾患を引き起こす原因となる。もし水と油とが化学的に結合でき液体燃料として燃焼できれば、水（Ｈ2Ｏ）は水素と酸素とから構成され、硫黄および炭素を含まないから、液体燃料に含まれた水の量ほど、二酸化炭素の排出量を削減することができ、環境汚染を減らすことができる。
【００１８】
すなわち、水と油とは通常では極性を異にしているので、化学的に結合することができない。ところが、ブラウンガスが溶解した水は多量の水素イオン（Ｈ＋）が存在することで、油と水の化学的な結合が可能である。例えば、水はＨ2Ｏとして極性分子であるが、水素イオン（Ｈ＋）の結合によって無極性の性質に近くなるようになれば無極性分子である油と化学的な結合が可能である。
【００１９】
このとき、ブラウンガスが溶解した水には多量の水素イオン（Ｈ＋）が存在するので、酸化還元電位（Oxidation reduction Potential，以下、ＯＲＰと称す。）が−３００ｍＶ以下である場合には、化合物であるウォータオイルを安定的な状態で得ることができる。例えば、本実施の形態１では、ブラウンガスが溶解した水は、ＯＲＰが−３００ｍＶ，−４００ｍＶまたは−５００ｍＶなどとすることができる。
【００２０】
このときのＯＲＰは、酸化力または還元力の尺度として使用されている。ＯＲＰは元々、金属類固有の電極電位を表示するときに使用される。従って、金属のＯＲＰを測定するＯＲＰメータは、従来は材料分析室や電気化学工業（電池・写真フィルム、メッキなど）工場で使用される場合が多かったが、最近では無機化合物や半導体関連など各種水溶液の分析手段の一つとして使用されている。
【００２１】
ＯＰＲは、測定単位が「ｍＶ」で、マイナス（−）絶対値が大きいほど還元力が大きいことを意味する。次に、ブラウンガスが溶解した水と油との体積は１０〜３０：９０〜７０（但し、体積比の合計が１００の割合となる組み合わせ）とすることができる。
【００２２】
例えば、ブラウンガスが１０Ｌと油９０Ｌとを混合させるとか、水３０Ｌと油７０Ｌとを混合させるとかすることができる。
【００２３】
図１は、ウォータオイルに対して、大韓民国石油品質管理研究センターに依頼して測定された発熱量および硫黄成分に対する試験成績書である。この図１に示す試験成績書の内容を表１〜３に示す。
【００２４】
【表１】
2009102600.tif 000003
【００２５】
【表２】
2009102600.tif 000004
【００２６】
【表３】
2009102600.tif 000005
【００２７】
大韓民国石油品質管理研究センターに依頼した物質は三種類である。試料名「重油０」（比較品）は重油１００％の場合であり、試料名「重油１」（発明品１）は重油とブラウンガスが溶解した水との体積比が９０：１０の場合であり、試料名「重油２」（発明品２）は重油とブラウンガスが溶解した水との体積比が８０：２０の場合である。試験では重油を使用したが、前述したように油は重油に限定されるものではない。
【００２８】
このような試料を利用して公認された大韓民国品質管理研究センターで秘密に実験したところ、試料名「重油０」の場合には発熱量が４１，４５０Ｊ／ｇで、硫黄成分は０.３６ｗｔ％発生した。ところが試料名「重油１」の場合には発熱量が３８，８６０Ｊ／ｇで、硫黄成分は０．３５ｗｔ％発生し、試料名「重油２」の場合には発熱量が３６，４８０Ｊ／ｇで、硫黄成分は０．３２ｗｔ％発生した。このような発熱量のデータを分析した結果を、表４に示す。下記表４は、実際発熱量と理論的な発熱量の予想値およびその差に対する分析表である。
【００２９】
【表４】
2009102600.tif 000006
【００３０】
表４からもわかるように、試料名「重油０」の実際発熱量が４１，４５０Ｊ／ｇに対して、試料名「重油１」は実際発熱量が３８，８６０Ｊ／ｇである。これは理論的な発熱量の予想値（「重油０」に対する９０％）が３７，０５０Ｊ／ｇと比べると、１，８１０Ｊ／ｇも多い熱量が発生している。これは理論的な発熱量の予想値３７，０５０Ｊ／ｇより約５％も大きい発熱量である。
【００３１】
また、試料名「重油０」は実際の発熱量が４１，４５０Ｊ／ｇであるのに対して、試料名「重油２」は発熱量が３３，１６０Ｊ／ｇである。これは理論的な発熱量の予想値３３，１６０Ｊ／ｇより約１０％ほど大きい発熱量である。
【００３２】
すなわち、本実施の形態１に係るブラウンガスを利用したウォータオイルによれば、水と油との化合物であるウォータオイルを燃焼させると、油だけを燃焼した場合の熱量より多い熱量を得ることができる。従って、地球上に残存する油を、有効かつ効率的に利用するとができるので、代替エネルギーとして天然エネルギー資源の問題を解決することができる。このようなウォータオイルによる燃焼が、油だけによる燃焼より高い発熱量を得られるということは、予測できない効果である。
【００３３】
そして、図１に示す試験成績書によれば、硫酸化物が発生に関し、試料名「重油０」では０．３６ｗｔ％であるのに比べ、試料名「重油１」では０．３５ｗｔ％、試料名「重油２」では０.３２ｗｔ％であるので、硫酸化物が減少しているのがわかる。つまり、ウォータオイルは、発熱量を確保しつつ、硫酸化物を減少させることができるので、地球上に残存する油を有効、かつ効率的に利用することができ、天然エネルギー資源の問題を解決することができると共に、従来の油より環境汚染を防止する効果がある。
【００３４】
すなわち、多量の硫黄（Ｓ）または炭素（Ｃ）などを含む油を燃焼させると、多量の二酸化炭素（ＣＯ2）や硫酸化物が発生する。二酸化炭素は地球温暖化現象などの異常気象の主な原因と指摘されている。また、硫酸化物は大気汚染物質として酸性雨の原因となり、人体の粘膜に作用して呼吸器疾患を引き起こす原因となる。本実施の形態１に係る水と油とを化学的に結合させたウォータオイルを燃焼させれば、水（Ｈ2Ｏ）は水素と酸素とから構成され、硫黄および炭素を含まないため、ウォータオイルに含まれた水の量ほど二酸化炭素の排出量を削減することができ、環境汚染を減らせることができる。
【００３５】
以下、図２および図３を参照して、本発明の実施の形態１によるブラウンガスを利用した液体燃料製造システムおよびその製造方法を説明する。
図１に示すブラウンガスを利用した液体燃料製造システムは、ブラウンガスが溶解した水製造装置（２００）と、油とこのブラウンガスが溶解した水を化学的に結合させる液体燃料製造装置（４００）とを含むことができる。
【００３６】
まず、ブラウンガスが溶解した水製造装置（２００）から、ブラウンガスが溶解した水（２５０）が液体燃料製造装置（４００）へ第１管（４１０）を通じて供給される。また、油タンク（３００）から油（３５０）が液体燃料製造装置（４００）へ第２管（４２０）を通じて供給される。第１管（４１０）および第２管（４２０）にはそれぞれ第１定量ポンプ（４１５）および第２定量ポンプ（４２５）が設けられているので、ブラウンガスが溶解した水や油の供給量を調節することができる。
【００３７】
ウォータオイルは、ブラウンガスが溶解した水（２５０）と油（３５０）との体積比を、１０〜３０：９０〜７０（但し、体積比の合計が１００の割合となる組み合わせ）とすることができる。例えば、ブラウンガスが溶解した水１０Ｌと油９０Ｌとを混合させるとか、ブラウンガスが溶解した水３０Ｌと油７０Ｌとを混合させることができるが、これに限定されるものではない。
【００３８】
このようにして、供給されたブラウンガスが溶解した水（２５０）と油（３５０）とを撹拌機によって撹拌することで、化学的に均一な化合物であるウォータオイル（４５０）を生成することができる。
【００３９】
撹拌機は、液体をかき乱して混ぜるための器具である。本実施の形態１では図２に示すようにプロペラ型としているが、これに限定されない。すなわち、撹拌機は撹拌用羽の形状によってプロペラ型とする以外に、タービン型、螺旋型などとすることが可能である。
【００４０】
次に、ブラウンガスが溶解した水製造装置（２００）を説明する。図２に示すようにブラウンガスが溶解した水製造装置（２００）は、ブラウンガス製造装置（１００）と水供給装置（５０）とを含むことができる。
水供給装置（５０）からの水は、水ポンプ（５５）によりブラウンガスが溶解した水製造装置（２００）へ第３管（２２０）を通じて供給される。以後、ブラウンガスが溶解した水製造装置（２００）へ供給された水に対してブラウンガスがブラウンガス製造装置（１００）から第４管（４６）を通じて注入されることで、ブラウンガスが溶解した水（２５０）が製造される。
【００４１】
ブラウンガスは、どのような名称で呼ばれたとしても、水の電気分解よって得られる気体として水素と酸素の当量比が２：１の混合気体を全て含む概念で、後述するブラウンガス製造装置（１００）は一実施例に過ぎず、ブラウンガスを製造することができる全ての装置およびブラウンガスを製造することができる全ての方法を含むものである。
【００４２】
ブラウンガスが溶解した水（２５０）は、ＯＲＰのマイナス（−）絶対値が大きいにも関わらず、弱アルカリ性に近いことを特徴とするものである。具体的には、ブラウンガスが溶解した水（２５０）はＯＲＰが−３００ｍＶ〜−５００ｍＶで、ｐＨが６．０〜８．４である。すなわち、従来技術によるアルカリ電解還元水は電気分解が進めば進むほど水中の水素が多くなることでＯＲＰ値の（−）絶対値が大きくなり、相対的に水素イオン濃度[Ｈ＋]が低くなることでｐＨ値が高くなって強アルカリになる。従って、従来技術によるアルカリ電解還元水では強アルカリとなってしまうため、アルカリ電解還元水と接触するポンプ、配管などを腐食させてしまうという不都合が発生する。
【００４３】
ブラウンガスを注入する前の水はｐＨ値にほとんど変化がないので、ＯＲＰはマイナス（−）で絶対値は大きくなるが、強アルカリでないことを特徴とするものである。
混合ガスであるブラウンガスを水に注入すれば、一部の水素が金属ナノコロイドに吸着されて気体にならず安定した状態で存在することができるので、水に溶解しない水素と酸素とを外部に放出することができる。
【００４４】
次に、図３を参照しながらブラウンガス製造装置（１００）を説明する。ブラウンガス製造装置（１００）は、水および電解質（ＫＯＨまたはＮａＯＨなど）などである電解液（４４）を貯留してブラウンガスを発生させる電解槽（１４）と、この電解液（４４）を交換したり、不足した電解液（４４）を補充する電解液調整部（図示せず）と、電解液（４４）の温度を自動で冷却する冷却部（図示せず）とを含むことができる。
【００４５】
以下、この電解槽（１４）の構成について、詳細に説明する。図３に示すように、電解槽（１４）内部には、電極管（２０）の上端と下端とを固定して間隔を一定に維持する上部固定板（３４）と下部固定板（３５）とが設けられている。また、電解槽（１４）の上部には、ガス採集部（３０）とガス吐出口とで第４管（４６）が構成されている（なお、図２においてはガス採集部（３０）は図示していない。）。また電解槽（１４）の上部に第１電気引入装置（４０）が、側面には第２電気引入装置（４１）が設けられている。
【００４６】
次に、このように構成されたブラウンガス発生装置（１００）の動作を説明する。ブラウンガス発生装置（１００）は、上記電極管（２０）が電極として機能をする。各電極管（２０）は等しい間隔に配置、締結されている。この決まった所定の間隔で維持された電極管（２０）と上部固定板（３４）および下部固定板（３５）とが一つの単位を成して、それぞれが独立してブラウンガスを生成する。
【００４７】
印加された電圧によって対応される上記電極管（２０）は、電気的損失なしに対応される上記電極管（２０）の間に存在する上記電解液を電気分解して、效率的にブラウンガスを生成することができるようになる。
また、電解槽（１４）の側面には冷却部（図示せず）が設けられているので、電解槽（１４）内の電解液（４４）を熱交換器（図示せず）で循環させると共に冷却部によって熱交換器を冷却させることで、結果的に電解液（４４）の温度を低下させることができるので、電解槽（１４）内の温度をいつも決まった状態に維持することができる。
【００４８】
また、ブラウンガスが溶解した水と油とを混合させたものに、ブラウンガスを直接注入して混合させた場合には、ＯＲＰのマイナス（−）絶対値が更に高くなって、ウォータオイルという化合物を更に効果的に生成することができる。
【００４９】
ブラウンガスが溶解した水と、油とを混合させたものに、ブラウンガスを直接注入して混合させる液体燃料製造システムおよびその製造方法は、本実施の形態１に係るブラウンガスが熔解した水と油の化合物である液体燃料製造システム、およびその製造方法の技術的な特徴を採用することができる。
【００５０】
例えば、液体燃料製造（４００）にブラウンガスを追加で注入して撹拌することで、より効果的にウォータオイルを製造することができる。これは、ＯＲＰの絶対値が大きければ大きいほど水素イオンが数多く存在するので、化学的な反応を更に促進させることができるからである。
【００５１】
（実施の形態２）
本発明の実施の形態２に係るブラウンガスを利用した液体燃料製造システムを、図４に基づいて説明する。なお、図４においては、図２と同じ構成のものは同符号を付して説明を省略する。
【００５２】
実施の形態１では、ブラウンガスが溶解した水と油とを化学的に結合させた化合物について説明したが、実施の形態２は、ブラウンガスを油に直接溶解させることで、新たな化合物を生成することを特徴とするものである。
【００５３】
本実施の形態２に係る液体燃料製造システムは、液体燃料製造装置（４００）にブラウンガス製造装置（１００）に接続する第４管（４６）が直結している。
従って、油タンク（３００）から送られた油に、直接ブラウンガスを注入することができる。油に注入されたブラウンガスは、撹拌機によって撹拌することで化学的に均一な化合物である液体燃料（４６０）となる。
【００５４】
この液体燃料（４６０）は、油にブラウンガスが混合されているので、油を効率よく燃焼させることができる。また、この液体燃料製造システムは、ブラウンガスを一旦水に溶解させずに直接油にブラウンガスを溶解しているので、装置規模を簡素化することができる。
【００５５】
なお、撹拌機は本実施の形態２においてはプロペラ型としているが、本実施の形態１と同様にこれに限定されない。すなわち、撹拌機は撹拌用羽の形状によってプロペラ型とする以外に、タービン型、螺旋型などとすることが可能である。
【００５６】
なお、本発明は、本明細書中に記載された実施例および図面によって限定されるものではなく、請求項の権利範囲に属する範囲内で、多様な実施例が可能である。
【図面の簡単な説明】
【００５７】
【図１】本発明の実施の形態１に係るブラウンガスを利用したウォータオイルに対する試験成績書である。
【図２】本発明の実施の形態１に係るブラウンガスを利用した液体燃料製造システムを示す概略図である。
【図３】図２に示す液体燃料製造システムのブラウンガス製造装置の概略図である。
【図４】本発明の実施の形態２に係るブラウンガスを利用した液体燃料製造システムを示す概略図である。
【符号の説明】
【００５８】
１４  電解槽
２０  電極管
３０  ガス採集部
３４  上部固定板
３５  下部固定板
４０  第１電気引入装置
４１  第２電気引入装置
４４  電解液
４６  第４管
５０  水供給装置
５５  水ポンプ
１００  ブラウンガス製造装置
２００  水製造装置
２２０  第３管
２５０  ブラウンガスが溶解した水
３００  油タンク
３５０  油
４００  液体燃料製造装置
４１０  第１管
４１５  第１定量ポンプ
４２０  第２管
４２５  第２定量ポンプ
４５０  ウォータオイル
４６０  液体燃料
【図１】
2009102600.tif 000007
【図２】
2009102600.tif 000008
【図３】
2009102600.tif 000009
【図４】
2009102600.tif 000010